(57)【要約】【課題】通信装置に設定される設定情報を更新する場合に、設定情報の送信におけるデータサイズを小さくする。【解決手段】複数のネットワーク装置２０−１〜２０−ｎを設定情報を用いて監視する監視装置１０において、設定情報を更新する場合、設定情報を構成する複数のグループのうち、更新に必要となるグループの情報のみをネットワーク装置２０−１〜２０−ｎに送信する。【選択図】図１
2017175330.tif 000002
【特許請求の範囲】
【請求項１】
複数の通信装置を当該通信装置に設定される設定情報を用いて監視する監視装置であって、
前記設定情報を更新する場合、当該設定情報を構成する複数のグループのうち、更新に必要となるグループの情報のみを前記通信装置に送信する、監視装置。
【請求項２】
請求項１に記載の監視装置において、
前記更新に必要となるグループの情報について、更新箇所に関する差分部分と、それ以外の冗長部分とをそれぞれ検出する差分検出部と、
前記冗長部分を、圧縮に適した形態に変更し、当該変更された冗長部分と前記差分部分とを圧縮するデータ圧縮部と、
前記圧縮された冗長部分と前記差分部分とから送信データを作成して前記通信装置に送信する送信データ作成部とを有する、監視装置。
【請求項３】
請求項２に記載の監視装置において、
前記通信装置から当該通信装置の前記設定情報を取得する第１の設定情報取得部と、
管理者から前記更新する設定情報を受け付ける第２の設定情報取得部とを有し、
前記差分検出部は、前記第１の設定情報取得部にて取得された設定情報と、前記第２の設定情報取得部にて取得された設定情報とに基づいて、更新に必要となるグループの情報について、更新箇所に関する差分部分と、それ以外の冗長部分とをそれぞれ検出する、監視装置。
【請求項４】
請求項２または請求項３に記載の監視装置において、
前記データ圧縮部は、前記圧縮に適した形態が発見できない場合、前記冗長部分を変更せずに当該冗長部分と前記差分部分とを圧縮する、監視装置。
【請求項５】
請求項２または請求項３に記載の監視装置において、
前記データ圧縮部は、前記冗長部分を変更して当該冗長部分と前記差分部分とを圧縮しても、当該冗長部分及び差分部分からなるデータサイズが小さくならない場合、前記冗長部分と前記差分部分とを圧縮せず、
前記送信データ作成部は、前記冗長部分と前記差分部分とから送信データを作成して前記通信装置に送信する、監視装置。
【請求項６】
請求項２乃至５のいずれか１項に記載の監視装置にて監視される通信装置であって、
前記設定情報が記憶される設定情報記憶領域と、
前記監視装置から送信されてきた送信データを、圧縮されたものであるかどうかを判断し、圧縮されたものである場合、当該圧縮された送信データを解凍するデータ圧縮検出部と、
前記解凍された送信データまたは前記圧縮されていない送信データによって、前設定情報記憶領域に記憶された設定情報を更新する設定反映部とを有する、通信装置。
【請求項７】
複数の通信装置と、該通信装置に設定される設定情報を用いて監視する監視装置とを有するネットワークシステムであって、
前記監視装置が、前記設定情報を更新する場合、当該設定情報を構成する複数のグループのうち、更新に必要となるグループの情報のみを前記通信装置に送信する、ネットワークシステム。
【請求項８】
複数の通信装置を当該通信装置に設定される設定情報を用いて監視する監視装置から、更新する設定情報を前記通信装置に送信する、プロトコルデータ送信方法であって、
前記設定情報を更新する場合、当該設定情報を構成する複数のグループのうち、更新に必要となるグループの情報のみを前記監視装置から前記通信装置に送信する、プロトコルデータ送信方法。
【請求項９】
複数の通信装置を当該通信装置に設定される設定情報を用いて監視する監視装置に、
前記設定情報を更新する場合、当該設定情報を構成する複数のグループのうち、更新に必要となるグループの情報のみを前記通信装置に送信する手順を実行させる、プログラム。
【発明の詳細な説明】
【技術分野】
【０００１】
本発明は、通信装置に設定される設定情報を更新する技術に関する。
【背景技術】
【０００２】
通信装置に対して複数のデータ間に依存関係がある場合、監視装置側で各データに関する設定情報を１つのＰＤＵ（Protocol Data Unit）にまとめて設定、送信することで、通信装置側では、データ間に矛盾がないかをチェックすることができる。ところが、ＵＤＰ（User Datagram Protocol）や下層ネットワークの最大データサイズに制限があるため、設定情報のデータサイズが大きな場合、１つのＰＤＵにまとめることが難しくなる。そこで、１つのＰＤＵのサイズを拡張する方法として、ＩＰフラグメントやJumbo Frame等があるが、経由するネットワーク構成に条件があるため、適用が難しい場合がある。
また、設定情報を複数のＰＤＵに分割して設定、送信する場合、安定性を犠牲に一時的な設定矛盾を許容したり、設定開始及び終了を示す情報を別途用意し、手順を設けたりすることで矛盾を回避する等の方法もあるが、設定シーケンスを組む必要があり、処理が複雑化してしまう。さらに、単純なデータ圧縮を用いることも考えられるが、その場合、データによってはあまりサイズが小さくならない、または逆に大きくなってしまう虞がある。
ここで、ＶＬＡＮの設定情報をポート単位で収集する技術が、特許文献１に開示されている。また、通信装置側にて差分データを用いて設定情報を更新することで、通信装置側から監視装置側への転送データ量を削減する技術が、特許文献２に開示されている。
【先行技術文献】
【特許文献】
【０００３】
【特許文献１】再公表２０１３−４７３５５号公報
【特許文献２】特開２００９−２６５７１８号公報
【発明の概要】
【発明が解決しようとする課題】
【０００４】
しかしながら、ＶＬＡＮの設定情報をポート単位で収集するものにおいても、設定情報のデータサイズが小さくなるとは言い難い。また、単純に差分データを用いたとしても、あまりサイズが小さくならない場合がある。
本発明は、上述したような技術が有する問題点に鑑みてなされたものであって、通信装置に設定される設定情報を更新する場合に、設定情報の送信におけるデータサイズを小さくすることができる、監視装置、通信装置、プロトコルデータ送信方法及びプログラムを提供することを目的とする。
【課題を解決するための手段】
【０００５】
上記目的を達成するために本発明は、
複数の通信装置を当該通信装置に設定される設定情報を用いて監視する監視装置であって、
前記設定情報を更新する場合、当該設定情報を構成する複数のグループのうち、更新に必要となるグループの情報のみを前記通信装置に送信する。
また、前記監視装置にて監視される通信装置であって、
前記設定情報が記憶される設定情報記憶領域と、
前記監視装置から送信されてきた送信データを、圧縮されたものであるかどうかを判断し、圧縮されたものである場合、当該圧縮された送信データを解凍するデータ圧縮検出部と、
前記解凍された送信データまたは前記圧縮されていない送信データによって、前設定情報記憶領域に記憶された設定情報を更新する設定反映部とを有する。
また、複数の通信装置と、該通信装置に設定される設定情報を用いて監視する監視装置とを有するネットワークシステムであって、
前記監視装置が、前記設定情報を更新する場合、当該設定情報を構成する複数のグループのうち、更新に必要となるグループの情報のみを前記通信装置に送信する。
また、複数の通信装置を当該通信装置に設定される設定情報を用いて監視する監視装置から、更新する設定情報を前記通信装置に送信する、プロトコルデータ送信方法であって、
前記設定情報を更新する場合、当該設定情報を構成する複数のグループのうち、更新に必要となるグループの情報のみを前記監視装置から前記通信装置に送信する。
また、複数の通信装置を当該通信装置に設定される設定情報を用いて監視する監視装置に実行させるプログラムであって、
前記設定情報を更新する場合、当該設定情報を構成する複数のグループのうち、更新に必要となるグループの情報のみを前記通信装置に送信する手順を実行させる。
【発明の効果】
【０００６】
本発明によれば、通信装置に設定される設定情報を更新する場合に、設定情報の送信におけるデータサイズを小さくすることができる。それにより、更新する設定情報を監視装置から通信装置に送信する際、データ量を抑制、または設定途中状態となる期間をなくすもしくは短くすることができる。
【図面の簡単な説明】
【０００７】
【図１】本発明のネットワークシステムの実施の一形態を示す図である。
【図２】図１に示した監視装置の一構成例を示すブロック図である。
【図３】図１に示したネットワーク装置の一構成例を示すブロック図である。
【図４】図１に示した監視装置の他の構成例を示すブロック図である。
【図５】図１に示したネットワーク装置の他の構成例を示すブロック図である。
【図６】図１、図４及び図５に示したネットワークシステムにおけるプロトコルデータの送信方法の概略を説明するための図である。
【図７】図１、図４及び図５に示したネットワークシステムにおけるプロトコルデータの送信方法の具体的な処理を説明するための図である。
【図８】図１、図４及び図５に示したネットワークシステムにおいてｂｉｔを使用した改善前後での動作イメージを示す図である。
【発明を実施するための形態】
【０００８】
以下に、本発明の実施の形態について図面を参照して説明する。
図１は、本発明のネットワークシステムの実施の一形態を示す図である。
本形態におけるネットワークシステムは図１に示すように、監視装置１０と、通信装置である複数のネットワーク装置２０−１〜２０−ｎとがネットワーク３０を介して接続されて構成されており、ネットワーク装置２０−１〜２０−ｎに設定される設定情報を更新する場合に、更新する設定情報を監視装置から通信装置に送信するものである。なお、設定情報としては、例えば、ＳＮＭＰにおけるＭＩＢ（Management Information Base）が挙げられる。
【０００９】
図２は、図１に示した監視装置１０の一構成例を示すブロック図である。
本例における監視装置１０は図２に示すように、差分検出部１３と、データ圧縮部１４と、ＰＤＵ作成部１５とを備える。
差分検出部１３は、ネットワーク装置２０−１〜２０−ｎから送信されてくる設定情報と、ユーザから受け付けた設定情報とに基づいて、設定情報の更新に必要となるグループの情報について、更新箇所に関する差分部分と、それ以外の冗長部分とを検出し、検出結果をデータ圧縮部１４に提供する。
データ圧縮部１４は、差分検出部１３から提供された冗長部分を、圧縮に適した形態である、圧縮しやすい形態に変更し、変更した冗長部分と、差分検出部１３から提供された差分部分とを圧縮する。また、データ圧縮部１４は、冗長部分について圧縮しやすい形態が発見できない場合は、冗長部分を変更せずに冗長部分の設定値そのものと差分部分とを圧縮する。また、データ圧縮部１４は、冗長部分と差分部分とを圧縮した後のデータサイズを確認し、冗長部分と差分部分とを圧縮しても、冗長部分及び差分部分からなるデータサイズが小さくならない場合は、冗長部分と差分部分とを圧縮しない。データ圧縮部１４は、このように圧縮したまたは圧縮していない冗長部分と差分部分とをＰＤＵとしてＰＤＵ作成部１５に提供する。また、データ圧縮部１４は、冗長部分と差分部分とを圧縮した場合は、圧縮したことを示すフラグを送信データとなるＰＤＵに付与する。
ＰＤＵ作成部１５は、本発明における送信データ作成部となるものであって、データ圧縮部１４から提供されたＰＤＵを可能な限り送信データとなる１つのＰＤＵに収め、ネットワーク装置２０−１〜２０−ｎのうち、該当するネットワーク装置に送信する。
【００１０】
図３は、図１に示したネットワーク装置２０−１〜２０−ｎの一構成例を示すブロック図である。
本例におけるネットワーク装置２０−１〜２０−ｎは図３に示すように、データ圧縮検出部２２と、設定反映部１３と、設定情報記憶領域２４とを備える。
データ圧縮検出部２２は、ネットワーク装置２０−１〜２０−ｎ以外から送られてくる情報設定用ＰＤＵが、圧縮されたデータであるかどうかを情報設定用ＰＤＵに付与された圧縮フラグに基づいて判断し、圧縮フラグがあり、圧縮されたデータであると判断した場合、データを解凍し、設定反映部２３に内容を提供する。また、データ圧縮検出部２２は、圧縮フラグがなく、ネットワーク装置２０−１〜２０−ｎ以外から送られてくる情報設定用ＰＤＵが圧縮されていないものであると判断した場合は、データの内容をそのまま設定反映部２３に提供する。
設定反映部２３は、データ圧縮検出部２２から提供されたデータに基づいて、設定情報記憶領域２４に記憶された設定情報と必要に応じて関連するデータを更新する。なお、実際には、ＩＣ等の設定値に関連する周辺デバイスへの設定も行う。
設定情報記憶領域２４は、設定反映部２３から提供された設定データを記憶領域に記憶する。
【００１１】
図４は、図１に示した監視装置１０の他の構成例を示すブロック図である。
本例における監視装置１０は図４に示すように、図２に示したものに対して、設定情報取得部１１と、ＰＤＵ取得部１２とを新たに備える。
設定情報取得部１１は、本発明における第１の設定情報取得部となるものであって、管理者となるユーザから、ネットワーク装置２０−１〜２０−ｎに設定すべき設定情報を受け付け、設定情報を差分検出部１３及びデータ圧縮部１４に提供する。
ＰＤＵ取得部１２は、本発明における第２の設定情報取得部となるものであって、ネットワーク装置２０−１〜２０−ｎ等の、監視装置１０以外から送られてくる情報取得ＰＤＵを解釈し、その内容を差分検出部１３に提供する。また、ＰＤＵ取得部１２は、ネットワーク装置２０−１〜２０−ｎから送信されてくる設定応答ＰＤＵを解釈し、エラーであるかどうかも含む結果判定を行い、ネットワーク装置２０−１〜２０−ｎに設定された設定情報を差分検出部１３に提供する。
そして、差分検出部１３は、ＰＤＵ取得部１２から提供された設定情報と、設定情報取得部１１から提供された設定情報とに基づいて、設定情報の更新に必要となるグループの情報について、更新箇所に関する差分部分と、それ以外の冗長部分とを検出し、検出結果をデータ圧縮部１４に提供することになる。
【００１２】
図５は、図１に示したネットワーク装置２０−１〜２０−ｎの他の構成例を示すブロック図である。
本例におけるネットワーク装置２０−１〜２０−ｎは図５に示すように、図３に示したものに対して、ＰＤＵ取得部２１と、設定取得部２５と、ＰＤＵ作成部２６とを新たに備える。
ＰＤＵ取得部２１は、監視装置１０等の、ネットワーク装置２０−１〜２０−ｎ以外から送られてくる情報取得ＰＤＵを解釈し、その内容を設定取得部２５に提供する。また、ＰＤＵ取得部２１は、ネットワーク装置２０−１〜２０−ｎ以外から送られてくる情報設定用ＰＤＵを解釈し、データ圧縮検出部２２にその内容を提供する。
設定取得部２５は、ＰＤＵ取得部２１から情報取得ＰＤＵの要求が来た場合には、要求された情報を設定情報記憶領域２４から取得し、ＰＤＵ作成部２６に提供する。また、設定取得部２５は、情報設定用ＰＤＵへの応答を設定反映部２３から要求された場合には、その結果をＰＤＵ作成部２６に提供する。
ＰＤＵ作成部２６は、設定取得部２５から提供された情報をＰＤＵ化して監視装置１０に送信する。
そして、データ圧縮検出部２２は、ＰＤＵ取得部２１から提供された情報設定用ＰＤＵが、圧縮されたデータであるかどうかを情報設定用ＰＤＵに付与された圧縮フラグに基づいて判断し、圧縮フラグがあり、圧縮されたデータであると判断した場合、データを解凍し、設定反映部２３に内容を提供することになる。
また、設定情報記憶領域２４は、記憶領域に記憶している設定情報を設定取得部２５に提供する。
【００１３】
以下に、上記のように構成されたネットワークシステムにおけるプロトコルデータ送信方法について説明する。
【００１４】
まず、図１、図４及び図５に示したネットワークシステムにおけるプロトコルデータの送信方法の概略について説明する。
図６は、図１、図４及び図５に示したネットワークシステムにおけるプロトコルデータの送信方法の概略を説明するための図である。
図１、図４及び図５に示したネットワークシステムにおいては、複数のデータ間で依存関係がある場合において、ネットワーク装置２０−１〜２０−ｎが、設定情報に基づいて必要に応じて関連するデータを更新できるようにすることで、設定情報に、更新箇所に関する差分部分と冗長部分とができるようにする。
例えば、設定情報を構成する複数のグループのうち１つのグループ（データ長）中の１ｂｉｔが複数グループのうちのいずれか１つのグループにしか存在できないものとする。その場合、図６に示すように、ｂｉｔ５をグループＡからグループＢへ変更するような更新が行われると、ｂｉｔ５においては、グループＢに１ｂｉｔが存在することとなるため、グループＡから自動的にｂｉｔ５を除外する。これにより、もし、更新すべき設定情報を１つのＰＤＵに収めきれない場合であっても、関連するデータ間で一時的な設定矛盾が発生しないようになる。
また、必要な差分は維持しつつ、冗長部分を圧縮に都合がよい（圧縮率が向上する）値に変更することで、設定情報自体やその差分だけを圧縮する場合よりもデータサイズの削減が期待できる。これにより、１つのＰＤＵに収められるデータ数を増やすことができるため、設定途中状態となる期間をなくすことができる。または、必要なＰＤＵ数を少なくできることで、設定途中状態となる期間を短くすることができる。
【００１５】
以下に、具体的な処理について説明する。
図７は、図１、図４及び図５に示したネットワークシステムにおけるプロトコルデータの送信方法の具体的な処理を説明するための図である。図８は、図１、図４及び図５に示したネットワークシステムにおいてｂｉｔを使用した改善前後での動作イメージを示す図である。
監視装置１０のＰＤＵ作成部１５が、装置情報取得用ＰＤＵを作成し、ネットワーク装置２０−１に送信すると（ステップ１）、ネットワーク装置２０−１のＰＤＵ取得部２１にて装置情報取得用ＰＤＵが受信され、ＰＤＵ取得部２１が、装置情報取得用ＰＤＵと判別し、設定取得部２５に対して設定情報を要求する（ステップ２）。
すると、設定取得部２５は、ＰＤＵ取得部２１から要求された設定情報を設定情報記憶領域２４から取得し、ＰＤＵ作成部２６に提供する（ステップ３）。
ＰＤＵ作成部２６は、設定取得部２５から提供された設定情報をＰＤＵ化して監視装置１０に送信する（ステップ４）。
ネットワーク装置２０−１から送信された設定情報は、ネットワーク３０を介して監視装置１０のＰＤＵ取得部１２にて受信され、ＰＤＵ取得部１２が、ステップ１にて送信した装置情報取得用ＰＤＵの応答と判定し、受信した設定情報を差分検出部１３に提供する（ステップ５）。
また、設定情報取得部１１が、管理者となるユーザから、ネットワーク装置２０−１に対する設定情報を受け付けると、設定情報を差分検出部１３及びデータ圧縮部１４に提供する（ステップ６）。
すると、差分検出部１３が、ＰＤＵ取得部１２から提供された設定情報と、設定情報取得部１１から提供された設定情報とに基づいて、設定情報の更新に必要となるグループの情報について、更新箇所に関する差分部分と、それ以外の冗長部分とを検出し、検出結果をデータ圧縮部１４に提供する（ステップ７）。この際、差分検出部１３は、設定情報のうちどのような値をとってもよい箇所を冗長部分とする。例えば、図８に示すものにおいては、グループＡにおけるｂｉｔ６及びｂｉｔ７が冗長部分とされ、グループＢにおけるｂｉｔ０〜３が冗長部分とされる。これは、グループＡについては、グループＢのｂｉｔ５が１ビットとなったことに伴い、グループＡのｂｉｔ５は自動的に除外されることとなり、それにより、ネットワーク装置２０−１に対して更新のために送信する必要があるグループではなくなるためである。また、グループＢについては、ｂｉｔ０〜３がグループＢに存在したまま更新されておらず、更新に関する部分でないこと、すなわち、どのような値をとってもよい部分であることによるためである。
【００１６】
次に、データ圧縮部１４が、冗長部分について、設定情報または差分部分に基づいて、差分部分と同一のパターンを多くできる、または、同一の値が連続で並ぶ等、圧縮に適した形態である、圧縮しやすい値を求めて冗長部分を変更し、差分部分と変更した冗長部分とを圧縮する（ステップ８〜１０）。例えば、図８に示すものにおいては、グループＡの冗長部分について、ｂｉｔ４〜７まで０ｂｉｔが並ぶように変更し、また、グループＢの冗長部分について、ｂｉｔ０〜３が、差分部分のｂｉｔ４〜７と同一となるように変更すれば、圧縮率が向上することが想定される。なお、図８に示す例は、設定情報を１／２に圧縮した状態である。また、圧縮された設定情報は、グループごとにそのデータサイズが異なる場合もある。
また、データ圧縮部１４は、冗長部分について圧縮しやすい形態が発見できない場合は、冗長部分を変更せずに冗長部分の設定値そのものと差分部分とを圧縮する（ステップ１１）。
また、データ圧縮部１４は、冗長部分と差分部分とを圧縮した後のデータサイズを確認し（ステップ１２）、冗長部分と差分部分とを圧縮しても、冗長部分及び差分部分からなるデータサイズが小さくならない場合は、冗長部分と差分部分とを圧縮しない（ステップ１３）。
データ圧縮部１４は、冗長部分及び差分部分を圧縮した場合は、圧縮したことを示す圧縮フラグをＰＤＵに付与する（ステップ１４）。なお、圧縮フラグは、図８に示すように、ｂｉｔを別途追加して設定してもよいが、元データに無効領域があればそれを流用してもよい。
そして、データ圧縮部１４は、上記のように圧縮した、または圧縮していない冗長部分と差分部分とをＰＤＵ作成部１５に提供する。
ＰＤＵ作成部１５は、データ圧縮部１４から提供されたＰＤＵを送信データとしてネットワーク装置２０−１に送信する（ステップ１５）。この際、上述したように、グループＡがネットワーク装置２０−１に対して更新のために送信する必要があるグループではなくなるため、ＰＤＵ作成部１５は、ネットワーク装置２０−１に対して更新のために必要となるグループＢ，Ｃのみの設定情報を送信することとなる。なお、グループＡの設定情報をネットワーク装置２０−１に送信しないのではなく、全てのｂｉｔを０として送信してもよい。ここまでで、一時的な設定矛盾は解消されるが、複数のＰＤＵによって設定情報を更新した場合、最終的な期待設定になるまでに、設定途中状態となる期間が長くなる。そのため、ＰＤＵ作成部１５は、設定情報を可能な限り１つのＰＤＵに収めて送信データを作成することで、設定途中状態を短くする、あるいは、図８に示すように、改善前においては設定途中状態が２つ存在しているのに対して、設定途中状態をなくすことができる。
【００１７】
一方、ネットワーク装置２０−１〜２０−ｎにおいては、監視装置１０から送信されてきた設定情報を反映するだけでなく、必要に応じて関連するデータも変更できるようにしておく。
監視装置１０から送信されたＰＤＵは、ネットワーク装置２０−１のＰＤＵ取得部２１にて受信され、ＰＤＵ取得部２１が、装置情報設定用ＰＤＵと判別し、その内容をデータ圧縮検出部２２に提供する（ステップ１６）。
データ圧縮検出部２２は、ＰＤＵ取得部２１から提供された情報設定用ＰＤＵが圧縮されたデータであるかどうかを圧縮フラグに基づいて判断し（ステップ１７，１８）、圧縮フラグがあり、圧縮されたデータであると判断した場合、設定値として本来定義されているデータサイズでなくてもその値を受け入れ、データを解凍し、設定反映部２３に内容を提供する（ステップ１９）。
また、データ圧縮検出部２２は、圧縮フラグがなく、ＰＤＵ取得部２１から提供された情報設定用ＰＤＵが圧縮されていないものであると判断した場合は、データの内容をそのまま設定反映部２３に提供する。
設定反映部２３は、データ圧縮検出部２２から提供されたデータに基づいて、設定情報記憶領域２４に記憶された設定情報と必要に応じて関連するデータを更新するとともに、関連するデータへも変更を反映する（ステップ２０）。
【００１８】
本形態により、以下に示すような効果を奏することができる。
サイズの大きな複数のデータ間で依存関係がある場合において、ネットワーク装置２０−１〜２０−ｎは、設定情報に基づいて必要に応じて関連するデータを更新できるようにすることで、設定情報の更新に必要となる情報について、更新箇所に関する差分部分とそれ以外の冗長部分とを検出し、冗長部分については、圧縮に適した値に変更することで、設定情報自体やその差分だけを圧縮するよりもデータサイズを削減できる。
また、冗長部分を圧縮することで、１つのＰＤＵに収められるデータ数を増やすことができるため、設定途中状態となる期間をなくすことができる。あるいは、必要なＰＤＵの数を少なくできるため、設定途中状態となる期間を短くすることができる。
【００１９】
なお、本発明においては、監視装置１０内の処理は上述の専用のハードウェアにより実現されるもの以外に、その機能を実現するためのプログラムを監視装置１０にて読取可能な記録媒体に記録し、この記録媒体に記録されたプログラムを監視装置１０に読み込ませ、実行するものであっても良い。監視装置１０にて読取可能な記録媒体とは、フロッピーディスク、光磁気ディスク、ＤＶＤ、ＣＤ等の移設可能な記録媒体の他、監視装置１０に内蔵されたＨＤＤ等を指す。この記録媒体に記録されたプログラムは、例えば、制御ブロックにて読み込まれ、制御ブロックの制御によって、上述したものと同様の処理が行われる。
【００２０】
上記の実施の形態の一部または全部は、以下の付記のようにも記載され得るが、以下には、限られない。
（付記１）
複数の通信装置を当該通信装置に設定される設定情報を用いて監視する監視装置であって、
前記設定情報を更新する場合、当該設定情報を構成する複数のグループのうち、更新に必要となるグループの情報のみを前記通信装置に送信する、監視装置。
（付記２）
付記１に記載の監視装置において、
前記更新に必要となるグループの情報について、更新箇所に関する差分部分と、それ以外の冗長部分とをそれぞれ検出する差分検出部と、
前記冗長部分を、圧縮に適した形態に変更し、当該変更された冗長部分と前記差分部分とを圧縮するデータ圧縮部と、
前記圧縮された冗長部分と前記差分部分とから送信データを作成して前記通信装置に送信する送信データ作成部とを有する、監視装置。
（付記３）
付記２に記載の監視装置において、
前記通信装置から当該通信装置の前記設定情報を取得する第１の設定情報取得部と、
管理者から前記更新する設定情報を受け付ける第２の設定情報取得部とを有し、
前記差分検出部は、前記第１の設定情報取得部にて取得された設定情報と、前記第２の設定情報取得部にて取得された設定情報とに基づいて、更新に必要となるグループの情報について、更新箇所に関する差分部分と、それ以外の冗長部分とをそれぞれ検出する、監視装置。
（付記４）
付記２または付記３に記載の監視装置において、
前記データ圧縮部は、前記圧縮に適した形態が発見できない場合、前記冗長部分を変更せずに当該冗長部分と前記差分部分とを圧縮する、監視装置。
（付記５）
付記２または付記３に記載の監視装置において、
前記データ圧縮部は、前記冗長部分を変更して当該冗長部分と前記差分部分とを圧縮しても、当該冗長部分及び差分部分からなるデータサイズが小さくならない場合、前記冗長部分と前記差分部分とを圧縮せず、
前記送信データ作成部は、前記冗長部分と前記差分部分とから送信データを作成して前記通信装置に送信する、監視装置。
（付記６）
付記２乃至５のいずれか１項に記載の監視装置にて監視される通信装置であって、
前記設定情報が記憶される設定情報記憶領域と、
前記監視装置から送信されてきた送信データを、圧縮されたものであるかどうかを判断し、圧縮されたものである場合、当該圧縮された送信データを解凍するデータ圧縮検出部と、
前記解凍された送信データまたは前記圧縮されていない送信データによって、前設定情報記憶領域に記憶された設定情報を更新する設定反映部とを有する、通信装置。
（付記７）
複数の通信装置と、該通信装置に設定される設定情報を用いて監視する監視装置とを有するネットワークシステムであって、
前記監視装置が、前記設定情報を更新する場合、当該設定情報を構成する複数のグループのうち、更新に必要となるグループの情報のみを前記通信装置に送信する、ネットワークシステム。
（付記８）
複数の通信装置を当該通信装置に設定される設定情報を用いて監視する監視装置から、更新する設定情報を前記通信装置に送信する、プロトコルデータ送信方法であって、
前記設定情報を更新する場合、当該設定情報を構成する複数のグループのうち、更新に必要となるグループの情報のみを前記監視装置から前記通信装置に送信する、プロトコルデータ送信方法。
（付記９）
複数の通信装置を当該通信装置に設定される設定情報を用いて監視する監視装置に、
前記設定情報を更新する場合、当該設定情報を構成する複数のグループのうち、更新に必要となるグループの情報のみを前記通信装置に送信する手順を実行させる、プログラム。
【符号の説明】
【００２１】
１０    監視装置
１１    設定情報取得部
１２，２１    ＰＤＵ取得部
１３    差分検出部
１４    データ圧縮部
１５，２６    ＰＤＵ作成部
２０    ネットワーク装置
２２    データ圧縮検出部
２３    設定反映部
２４    設定情報記憶領域
２５    設定取得部
３０    ネットワーク
【図１】
2017175330.tif 000003
【図２】
2017175330.tif 000004
【図３】
2017175330.tif 000005
【図４】
2017175330.tif 000006
【図５】
2017175330.tif 000007
【図６】
2017175330.tif 000008
【図７】
2017175330.tif 000009
【図８】
2017175330.tif 000010